(57)【要約】      （修正有）【課題】陳列棚の棚板上に載置された商品の情報等を、大型の表示カードに記載して良好に表示することができる陳列棚用表示具を提供する。【解決手段】この陳列棚用表示具は、棚板８の底部の棚板ビーム９に固定される取付基部２と、レール保持部に着脱可能に固定される支持レールと、表示カードホルダー５を上面に保持して、支持レールに両側部を前後に引き出し可能に支持されるスライド台４とを備え、棚板の底部に取り付けられ、スライド台４を引き出して表示カードホルダー５の表示カードを表示する。取付基部２には上方に向けて開口した略Ｕ字形状の棚板固定部が設けられ、棚板固定部の前部に固定ねじが先端部で棚板８の棚板ビーム９を押し付け可能にねじ込まれる。支持レールのレール３１，３２は、突出し長さを調整可能にレール保持部に固定される。【選択図】図１３
2007296075.tif 000002
【特許請求の範囲】
【請求項１】
棚板の底部の棚板ビームに固定される取付基部と、該取付基部の両側に設けたレール保持部に、着脱可能に固定される１対のレールを有した支持レールと、表示カードホルダーを上面に保持して、該支持レールに両側部を前後に引き出し可能に支持されるスライド台とを備え、該棚板の底部に取り付けられ、該スライド台を引き出して該表示カードホルダーの表示カードを表示する陳列棚用表示具であって、
該取付基部には上方に向けて開口した略Ｕ字形状の棚板固定部が設けられ、該棚板固定部の前部に固定ねじが先端部で前記棚板の棚板ビームを押し付け可能にねじ込まれ、該支持レールのレールが、突出し長さを調整可能に該レール保持部に固定されたことを特徴とする陳列棚用表示具。
【請求項２】
前記スライド台を引戻し方向に付勢するためのばね部材が、前記スライド台と前記取付基部または前記支持レールとの間に装着されたことを特徴とする請求項１記載の陳列棚用表示具。
【発明の詳細な説明】
【技術分野】
【０００１】
本発明は、商品陳列棚に陳列された商品の情報などを表示する陳列棚用表示具に関する。
【背景技術】
【０００２】
一般に、スーパーマーケット、ホームセンターなどで使用される商品陳列棚には、多数の棚板が設けられ、各棚板の前板に、棚板に陳列される商品の名称、価格などを表示する表示カードを入れたカードホルダーが取り付けられ、顧客が見やすいように商品の名称、価格などを表示している。また、この種の陳列棚の棚板に、商品の存在を強調して表示するためのポップカードを止めるための取付部を設けたものが、下記特許文献１などで提案されている。
【特許文献１】特開平９−２６５２５５号公報
【発明の開示】
【発明が解決しようとする課題】
【０００３】
ところで、近年、スーパーマーケットなどで販売される商品には、消費者に対しアピールし得る独自の品質や性質を有した商品が多く販売されつつあり、また、商品を選んで購入する消費者も増加しつつあり、そのような顧客は購入しようとする商品に関する各種の情報を希望する傾向にある。
【０００４】
そこで、店舗側では、陳列棚の各棚板に陳列される商品についての情報を表示カードに記載し、棚板の前部に設けたカードホルダーに入れて、商品の情報を店舗の顧客に表示することが行なわれているが、棚板前部のカードホルダーに挿入可能な表示カードの大きさには限界があり、充分な商品の情報を記載することができないという問題があった。
【０００５】
また、棚板の前部に立てて取り付けられるポップカードに商品情報を記載することも考えられたが、大型のポップカードを陳列棚の前に立設した場合、その立設したポップカードによって、棚板上の商品が隠れて見えにくくなるという不具合があった。
【０００６】
本発明は、上記の点に鑑みなされたもので、陳列棚の棚板上に載置された商品の情報等を、大型の表示カードに記載して良好に表示することができる陳列棚用表示具を提供することを目的とする。
【課題を解決するための手段】
【０００７】
上記目的を達成するために、本発明の陳列棚用表示具は、棚板の底部の棚板ビームに固定される取付基部と、取付基部の両側に設けたレール保持部に、着脱可能に固定される１対のレールを有した支持レールと、表示カードホルダーを上面に保持して、支持レールに両側部を前後に引き出し可能に支持されるスライド台とを備え、該棚板の底部に取り付けられて該スライド台を引き出して該表示カードホルダーの表示カードを表示する陳列棚用表示具であって、該取付基部には上方に向けて開口した略Ｕ字形状の棚板固定部が設けられ、該棚板固定部の前部に固定ねじが先端部で前記棚板の棚板ビームを押し付け可能にねじ込まれ、該支持レールのレールが、突出し長さを調整可能に該レール保持部に固定されたことを特徴とする。
【０００８】
ここで、上記スライド台を引戻し方向に付勢するためのばね部材を、スライド台と取付基部または支持レールとの間に装着することができる。
【発明の効果】
【０００９】
上記構成の陳列棚用表示具は、商品陳列棚の棚板の底部に取り付けて使用され、引出し可能に設けられたスライド台の上に、商品に関する情報を記した表示カードを収納した表示カードホルダーを装着して使用する。そして、顧客が商品の情報を見たい場合、棚板の底部からスライド台を引き出して、表示カードホルダーの表示カードを露出させ、顧客は商品の情報を見ることになる。スライド台は引き出して使用されるため、その平面形状を大型に形成することができ、大型の表示カードホルダーを使用して、大型の表示カードを使用することが可能となる。
【００１０】
また、上記構成の陳列棚用表示具によれば、上方に向けて開口した略Ｕ字形状の棚板固定部が取付基部に設けられ、棚板固定部の前部に固定ねじが先端部で棚板の棚板ビームを押し付け可能にねじ込まれ、支持レールのレールが突出し長さを調整可能にレール保持部に固定される構造としたから、棚板ビームの前後幅が異なる各種の棚板、或は棚板の前後幅の異なる各種の棚板に対し、取り付けて使用することができる。
【００１１】
また、スライド台を引戻し方向に付勢するためのばね部材を、スライド台と取付基部または支持レールとの間に装着すれば、顧客がスライド台を引き出した見た後、スライド台を自動的に棚板の底部に引戻すことができる。
【発明を実施するための最良の形態】
【００１２】
以下、本発明の一実施形態を図面に基づいて説明する。図１は陳列棚用表示具の斜視図を示し、図２はスライド台４を引き出した状態の同表示具の斜視図を示し、図３は同表示具の分解斜視図を示している。この陳列棚用表示具１は、概略的には、棚板８の底部の棚板ビーム９に固定される取付基部２と、取付基部２の両側に設けたレール保持部２２に、突出し長さを調整可能に固定される支持レール３と、表示カードホルダー５を上面に保持して、支持レール３に両側部を前後に引き出し可能に支持されるスライド台４とから構成される。
【００１３】
取付基部２は、図４〜図６に示すように、平板の上部に略Ｕ字形状の棚板固定部２１が上に開口して取り付けられ、平板の両側下部に略コ字状のレール保持部２２を、内側に対向するように形成して構成される。棚板固定部２１は、棚板８の底部に左右方向に設けられた棚板ビーム９を内側に嵌め入れ、前部に設けた固定ねじ２１ａをねじ込んで、棚板ビーム９に対し取付基部２を固定する構造となっている。
【００１４】
つまり、棚板固定部２１の前部に、２個のねじ孔（ナット付きの孔）が形成され、各ねじ孔に固定ねじ２１ａをねじ込み、固定ねじ２１ａの先端部で棚板ビーム９の前面を押して固定する。このため、棚板固定部２１の前後の間隔（棚板ビームを挿入する空間の幅）は、適用可能な棚板ビームの最大幅から最小幅のものまで挿入可能に形成され、固定ねじ２１ａのねじ込みにより、各種のサイズの棚板８の底部に固定可能な構造に、取付基部２は形成されている。
【００１５】
取付基部２の両側下部に形成される略コ字状断面を有したレール保持部２２には、その内側に支持レール３が保持されるが、そのために、図４のように、レール保持部２２の下部両側にねじ孔が形成され、各ねじ孔に固定ねじ２２ａがねじ込まれている。支持レール３は１対のレール３１，３２からなり、１対のレール３１，３２は、両側のレール保持部２２の内側に挿入されて固定されるが、このとき、挿入するレールの部分の長さつまりレール３１，３２の突出し長さは、使用する棚板８の前後の長さに応じて調整される。そして１対のレール３１，３２は、その突出し長さを調整した状態で、各々、固定ねじ２２ａのねじ込みにより取付基部２に対し固定される。
【００１６】
１対のレール３１，３２は、図７、図８に示すように、断面略コ字状に形成され、各々のレール３１，３２の先端部内側に、ローラ３１ａ，３２ａが回転自在に軸支されている。図８に示すように、これらのローラ３１ａ，３２ａとレールの上壁との間に所定幅の隙間が形成され、このローラ３１ａ，３２ａの上方の隙間に、スライド台４の上部両側の縁部４１，４２が摺動自在に挿入される。
【００１７】
スライド台４は、支持レール３の１対のレール３１，３２の内側に、摺動・引出し可能に装着され、その上部には、大型の表示カードホルダー（商品の各種情報を記載した紙カードを入れる透明のホルダー）５を嵌め込み可能な長方形の表示カード用凹部４３が形成されている。スライド台４は、図３、図９〜図１１に示すように、コ字状断面のレール３１，３２の内側に、その両側部を挿入して摺動可能な幅と厚さを持った板状に形成され、その上部両側には縁部４１，４２が平行に両側に突出・形成され、スライド台４の後部両側における縁部４２の下側に、ローラ４１ａ，４２ａが回転自在に軸支されている。
【００１８】
また、スライド台４の前部に、把手を兼ねた前表示カード装着部４４が少し上方に傾斜して設けられ、この前表示カード装着部４４には、商品の名称などを記載した小型の前表示カードが装着される。前表示カード装着部４４の両側と下部には、前表示カードを保持するための枠部が形成される。また、スライド台４の上面の表示カード用凹部４３の縁部には、そこに挿入された表示カードホルダー５を係止するための係止縁部４３ａが設けられている。
【００１９】
上記のように構成される陳列棚用表示具１は、図１２、図１３に示すように、商品陳列棚の棚板８の底部に取り付けて使用される。
【００２０】
陳列棚用表示具１を棚板８の底部に取り付ける場合、先ず、取付基部２を棚板８の底部の棚板ビーム９に固定する。このとき、取付基部２の略Ｕ字形の棚板固定部２１を、棚板ビーム９の下側から嵌め込み、棚板固定部２１の前壁にねじ込まれた固定ねじ２１ａをねじ込み、その先端で棚板ビーム９を押圧して棚板ビーム９に対し棚板固定部２１を固定する。固定ねじ２１ａをねじ込み、その先端を棚板ビーム９の前面に押し付けて固定するため、棚板ビーム９の前後幅が多少異なる棚板８であっても取り付けることができる。
【００２１】
次に、取付基部２のレール保持部２２にレール３１，３２を取り付けると共に、スライド台４を引出し可能に、レール３１，３２間に装着する。このとき、レール３１，３２が取付基部２から突出する突出し長さは、適用する棚板８の棚板ビーム９から棚板８の先端部までの長さに設定され、レール３１，３２は固定ねじ２２ａのねじ込みにより取付基部２に対し、調整された突出し長さで固定される。つまり、図１２に示すように、レール３１，３２の先端が棚板８の前端部より少し奥に位置し、スライド台４の前表示カード装着部４４が棚板８の前端部近傍に位置するように、レール３１，３２の長さが調整されて固定される。
【００２２】
スライド台４は、レール３１，３２の固定ねじ２２ａを少し緩めてレール３１，３２が多少動く状態で、ローラ４１ａ、４２ａをレール３１，３２の内側に転動自在に位置させ、その両側の縁部４１，４２をレール３１，３２の各上壁とローラ３２ａ，３１ａとの間に挿入して、スライド台４は前後に摺動可能に装着される。スライド台４は、レール３１，３２を取付基部２のレール保持部２２に取り付けて固定する際に、組み付けることもできる。
【００２３】
このように、取付基部２の棚板固定部２１が、図１２に示すように、適用可能な棚板８の棚板ビーム９の最大前後幅より少し幅広に形成され、固定ねじ２１ａをねじ込んで棚板ビーム９の正面壁を固定ねじ２１ａの先端で押圧して固定するから、前後幅が異なる棚板ビーム９についても、この陳列棚用表示具１を適用することができる。また、レール３１，３２が、固定ねじ２２ａによって取付基部２のレール保持部２２の内側に、その突出し長さを調整可能に固定されるから、異なった前後幅の棚板８に対しても、この陳列棚用表示具１を使用することができる。
【００２４】
上記のように、陳列棚の各棚板８の底部に取り付けられた陳列棚用表示具１は、図１２、図１３に示すように、引出し可能なスライド台４上の表示カード用凹部４３に、表示カードホルダー５が嵌め込まれて使用される。表示カードホルダー５に収納される大型の表示カードには、その陳列棚の棚板８に陳列する商品に関する情報、例えば、その商品の品質、性能などの情報が記載される。そして、陳列棚の棚板８に陳列された商品を購入しようとする顧客は、このスライド台４の前表示カード装着部４４を持って引き出せば、スライド台４上の表示カードホルダー５が現われ、そこに記載された表示カードの情報を読むことができる。
【００２５】
なお、顧客がスライド台４を引き出して表示カードホルダー５の表示カードを読んだ後、スライド台４が棚板８内の原位置に自動的に戻るように、スライド台４の奥または底部にばね部材を装着することができる。
【００２６】
例えば、ばね部材に引っ張りコイルばねを使用する場合には、コイルばねの一端をスライド台４の後部に係止し、コイルばねの他端を取付基部２の内側に係止して、スライド台４が引き出されたときに、コイルばねを引っ張り、引き出されたスライド台４を引戻し方向に付勢するようにする。
【００２７】
また、ばね部材としてトーションばねを使用する場合、スライド台４の底部にトーションばねを配設し、トーションばねの一端はスライド台４の後部に係止し、その他端はレール３１または３２の内側先端部に係止する。このようなトーションばねを使用する場合、スライド台４が棚板８の下側つまりレール３１，３２内に戻った状態で、トーションばねのばね力が開放され、スライド台４が引き出される際、トーションばねの両端を狭めてばねを付勢するように、トーションばねは取り付けられる。このように、コイルばねやトーションばねなどのばね部材を装着することにより、顧客が引き出したスライド台４を、自動的に収納位置に戻すことができ、スライド台４が引き出されたままとなる不具合を解消することができる。
【図面の簡単な説明】
【００２８】
【図１】本発明の一実施形態を示す陳列棚用表示具の斜視図である。
【図２】スライド台を引き出した状態の同陳列棚用表示具の斜視図である。
【図３】同陳列棚用表示具の分解斜視図である。
【図４】取付基台の拡大正面図である。
【図５】同取付基台の拡大平面図である。
【図６】同取付基台の拡大平面図である。
【図７】左側のレールの拡大底面図である。
【図８】同レールの拡大右側面図である。
【図９】スライド台の拡大右側面図である。
【図１０】同スライド台の拡大正面図である。
【図１１】同スライド台の拡大平面図である。
【図１２】陳列棚に取り付けた使用状態を示す表示具の断面図である。
【図１３】陳列棚に取り付けた使用状態を示す表示具の斜視図である。
【符号の説明】
【００２９】
１      陳列棚用表示具
２      取付基部
３      支持レール
４      スライド台
５      表示カードホルダー
８      棚板
９      棚板ビーム
２１    棚板固定部
２１ａ  固定ねじ
２２    レール保持部
２２ａ  固定ねじ
３１    レール
３２    レール
４３    表示カード用凹部                                                                       
【図１】
2007296075.tif 000003
【図２】
2007296075.tif 000004
【図３】
2007296075.tif 000005
【図４】
2007296075.tif 000006
【図５】
2007296075.tif 000007
【図６】
2007296075.tif 000008
【図７】
2007296075.tif 000009
【図８】
2007296075.tif 000010
【図９】
2007296075.tif 000011
【図１０】
2007296075.tif 000012
【図１１】
2007296075.tif 000013
【図１２】
2007296075.tif 000014
【図１３】
2007296075.tif 000015